(57)【要約】【課題】寝具を内周に沿ってセットした回転フレームを回転させながら、寝具の洗浄や乾燥を行なうにあたって、蒸気消毒により寝具の内部まで十分に消毒することができる寝具の洗浄装置を提供する。【解決手段】軸周りに回転駆動される筒かご状に形成され、内周に沿って出し入れ自在に寝具１がセットされる回転フレーム２を洗浄槽３内に配置して設ける。回転フレーム２を回転駆動しながら回転フレーム２の内側から寝具１に洗浄水を供給して寝具１を洗浄する洗浄手段。寝具１の洗浄終了後、回転フレーム２を回転駆動して寝具１から脱水した後に、回転フレーム２を回転駆動しながら水蒸気を回転フレーム２内に供給して寝具１を蒸気消毒する蒸気供給手段。寝具１を蒸気消毒した後に、回転フレーム２を回転駆動しながら温風を寝具１に吹き当てて寝具１を乾燥する乾燥手段。これらの各手段を具備して、寝具１を洗浄、脱水、蒸気消毒、乾燥することができる。【選択図】図１
2008289820.tif 000002
【特許請求の範囲】
【請求項１】
軸周りに回転駆動される筒かご状に形成され、内周に沿って出し入れ自在に寝具がセットされる回転フレームを洗浄槽内に配置して設けた寝具の洗浄装置において、回転フレームを回転駆動しながら回転フレームの内側から寝具に洗浄水を供給して寝具を洗浄する洗浄手段と、寝具の洗浄終了後、回転フレームを回転駆動して寝具から脱水した後に、回転フレームを回転駆動しながら水蒸気を回転フレーム内に供給して寝具を蒸気消毒する水蒸気供給手段と、寝具を蒸気消毒した後に、回転フレームを回転駆動しながら温風を寝具に吹き当てて寝具を乾燥する乾燥手段とを具備して成ることを特徴とする寝具の洗浄装置。
【請求項２】
回転フレームの側面に対向して配置され、側面の開口から回転フレーム内に水蒸気を噴出して供給する水蒸気噴出ノズルを備えて成ることを特徴とする請求項１に記載の寝具の洗浄装置。
【請求項３】
回転フレームの中心にパイプ状の支持軸を配置して設けると共に回転フレームを支持軸の周りに回転自在に取り付け、支持軸内に水蒸気供給路を形成すると共に、水蒸気供給路を通して供給された水蒸気を回転フレーム内に噴出する水蒸気噴出口を支持軸に設けて成ることを特徴とする請求項１に記載の寝具の洗浄装置。
【請求項４】
軸周りに回転駆動される筒かご状に形成された回転フレームを洗浄槽内に配置して設け、回転フレームの内周に沿って出し入れ自在に寝具をセットして、回転フレームを回転駆動しながら回転フレームの内側から寝具に洗浄水を供給して寝具を洗浄し、寝具を洗浄した後に、回転フレームを回転駆動して寝具の脱水を行ない、寝具を脱水した後に、回転フレームを回転駆動しながら水蒸気を回転フレーム内に供給して寝具を蒸気消毒し、寝具を蒸気消毒した後に、回転フレームを回転駆動しながら温風を寝具に吹き当てて寝具を乾燥することを特徴とする寝具の洗浄方法。
【発明の詳細な説明】
【技術分野】
【０００１】
本発明は、マットレスなどの寝具を洗浄する、寝具の洗浄装置及び洗浄方法に関するものである。
【背景技術】
【０００２】
病院や介護センターなどにおいて、ベッドの寝具を丸洗いして洗浄する要望が高まっている。そこでマットレスのような大型の寝具を洗浄する洗浄装置が提供されているが、マットレスのような大型の寝具を丸洗いすることは難しいために、種々の工夫がなされている。
【０００３】
例えば図１０に示すものは、寝具の洗浄から乾燥までを連続的に行なうことができるようにしたものであり、駆動モータ２１で回転駆動される筒かご状の回転フレーム２２が洗浄槽（図示省略）内に設置してあり、この回転フレーム２２の内周に沿わせて寝具１をセットするようにしてある。また回転フレーム２２の中心内に通した軸管２３に洗浄水タンク２４が接続してあり、さらに洗浄槽内において回転フレーム２２の近傍に熱風発生器２５が設置してある（特許文献１参照）。
【０００４】
そしてこのものにあって、マットレス等の寝具１を内周にセットした回転フレーム２２を回転駆動しながら、洗浄水タンク２４から軸管２３に洗浄水を供給し、軸管２３に設けた散水孔２６から洗浄水を吐出させることによって、寝具１の内側に洗浄水を供給して、洗浄を行なうことができるものである。このとき、回転フレーム２２の回転による遠心力で、洗浄水は寝具１の内側から外側へと寝具１の内部を良好に浸透するために、少ない水量で洗浄を行なうことができるものである。次に、洗浄が終わった後、回転フレーム２２を高速回転することによって、寝具１中に浸透した洗浄水を遠心脱水した後、熱風発生器２５から熱風を発生させることによって、熱風で寝具１を加熱して乾燥するものである。このように回転フレーム２２を高速回転して脱水するにあたって、寝具１は回転フレーム２２の内周に沿わせた状態に保持されているため、遠心力は寝具１の全体に均一に作用し、寝具１に傷みが発生することなく均一に脱水することができるものである。また回転フレーム２２内に寝具１をセットして回転させながら、洗浄、脱水、乾燥を連続して行なうことができるので、運転を自動化することが可能になるものである。
【特許文献１】特開２００２−１９１８９４号公報
【発明の開示】
【発明が解決しようとする課題】
【０００５】
上記のようにマットレスなどの寝具を洗浄するにあたって、病院や介護センターなどのように病人によって使用される寝具は、洗浄の他に消毒が十分に行なわれることが望まれる。しかし上記の装置では、寝具の洗浄を行なうことはできるが、寝具の内部まで十分に消毒することは難しいという問題があった。
【０００６】
本発明は上記の点に鑑みてなされたものであり、寝具を回転フレームの内周に沿ってセットして、回転フレームを回転させながら寝具の洗浄や乾燥を行なうにあたって、蒸気消毒により寝具の内部まで十分に消毒することができる寝具の洗浄装置及び洗浄方法を提供することを目的とするものである。
【課題を解決するための手段】
【０００７】
本発明の請求項１に係る寝具の洗浄装置は、軸周りに回転駆動される筒かご状に形成され、内周に沿って出し入れ自在に寝具１がセットされる回転フレーム２を洗浄槽３内に配置して設けた寝具の洗浄装置において、回転フレーム２を回転駆動しながら回転フレーム２の内側から寝具１に洗浄水を供給して寝具１を洗浄する洗浄手段と、寝具１の洗浄終了後、回転フレーム２を回転駆動して寝具１から脱水した後に、回転フレーム２を回転駆動しながら水蒸気を回転フレーム２内に供給して寝具１を蒸気消毒する水蒸気供給手段と、寝具１を蒸気消毒した後に、回転フレーム２を回転駆動しながら温風を寝具１に吹き当てて寝具１を乾燥する乾燥手段とを具備して成ることを特徴とするものである。
【０００８】
この発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に洗浄から乾燥までの作業を自動化することが可能になるものである。そして、水蒸気供給手段による水蒸気の供給によって、寝具１を蒸気消毒することができるものであり、しかも、回転フレーム２の回転によって、水蒸気は遠心力や寝具１の内周側と外周側の圧力差で寝具１の内部へ浸透すると共に内周側から外周側へと寝具１内を通過し、寝具１の内部まで効率良く均一に蒸気洗浄することができるものである。
【０００９】
また請求項２の発明は、請求項１において、回転フレーム２の側面に対向して配置され、側面の開口から回転フレーム２内に水蒸気を噴出して供給する水蒸気噴出ノズル７を備えて成ることを特徴とするものである。
【００１０】
この発明によれば、水蒸気噴出ノズル７から水蒸気を噴出させることによって、回転フレーム２内に水蒸気を送り込むことができ、水蒸気による寝具１の消毒を効率良く行なうことができるものである。
【００１１】
また請求項３の発明は、請求項１において、回転フレーム２の中心にパイプ状の支持軸４を配置して設けると共に回転フレーム２を支持軸４の周りに回転自在に取り付け、支持軸４内に水蒸気供給路８を形成すると共に、水蒸気供給路８を通して供給された水蒸気を回転フレーム２内に噴出する水蒸気噴出口１１を支持軸４に設けて成ることを特徴とするものである。
【００１２】
この発明によれば、回転フレーム２を支持する支持軸４を利用して、回転フレーム２内に水蒸気を送り込むことができ、水蒸気による寝具１の消毒を効率良く行なうことができるものである。
【００１３】
本発明の請求項４に係る寝具の洗浄方法は、軸周りに回転駆動される筒かご状に形成された回転フレーム２を洗浄槽３内に配置して設け、回転フレーム２の内周に沿って出し入れ自在に寝具１をセットして、回転フレーム２を回転駆動しながら回転フレーム２の内側から寝具１に洗浄水を供給して寝具１を洗浄し、寝具１を洗浄した後に、回転フレーム２を回転駆動して寝具１の脱水を行ない、寝具１を脱水した後に、回転フレーム２を回転駆動しながら水蒸気を回転フレーム２内に供給して寝具１を蒸気消毒し、寝具１を蒸気消毒した後に、回転フレーム２を回転駆動しながら温風を寝具１に吹き当てて寝具１を乾燥することを特徴とするものである。
【００１４】
この発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に洗浄から乾燥までの工程を自動化することが可能になるものである。そして、水蒸気で寝具１を消毒することができるものであり、しかも、回転フレーム２の回転によって、水蒸気は遠心力や寝具１の内周側と外周側の圧力差で寝具１の内部へ浸透すると共に内周側から外周側へと寝具１内を通過し易く、寝具１の内部まで効率良く均一に蒸気消毒することができるものである。
【発明の効果】
【００１５】
本発明によれば、寝具１を回転フレーム２の内周に沿ってセットした状態で、回転フレーム２を回転させながら寝具１の洗浄から乾燥までを連続して行なうことができ、少ない水量で寝具１を洗浄できると共に洗浄から乾燥までを自動化することが可能になるものである。そして、水蒸気で寝具１を消毒することができるものであり、しかも、回転フレーム２の回転によって、水蒸気は遠心力や寝具１の内周側と外周側の圧力差で寝具１の内部へ浸透すると共に内周側から外周側へと寝具１内を通過し、寝具１の内部まで効率良く均一に蒸気消毒することができるものである。
【発明を実施するための最良の形態】
【００１６】
以下、本発明を実施するための最良の形態を説明する。
【００１７】
図４は本発明の洗浄装置の全体を示すものであり、洗浄槽３の両側に器械ケーシング３５，３６が設けてある。洗浄槽３の前面の中央部は開口部３７として形成してあり、開口部３７には上下にスライドさせることによって開口部３７を開閉する扉３８が取り付けてある。
【００１８】
洗浄槽３内には図１〜図３及び図５に示すような回転フレーム２が設けてある。尚、図１，２は回転フレーム２内に寝具１を挿入する準備段階を示しているものである。回転フレーム２は、両側の円環状の側枠４０の間に掛け渡して横枠４１を所定間隔で複数本取り付けると共に、各横枠４１間に渡して複数本の細枠４２を側枠４０と平行に取り付けることによって形成される円筒形の筒かご体４３からなるものである。そして軸リング４４の外周に複数本の支持棒４５を放射状に取り付けると共に、この各支持棒４５の先端を側枠４０の内周に取り付けることによって、筒かご体４３を支持棒４５を介して軸リング４４で支持して、回転フレーム２を形成するようにしてある。
【００１９】
回転フレーム２の筒かご体４３の一部には、横枠４１や細枠４２を設けていない部分が図５のように形成してあり、この開口部分が回転フレーム２内に寝具１を出し入れする出入口４６となるものである。筒かご体４３の外側にはその周方向にスライド自在に格子状の開閉扉５１が取り付けてあり、開閉扉５１で出入口４６を開閉することができるようにしてある。
【００２０】
また筒かご体４３の内側には、筒かご体４３と平行に複数本のガイドレール４７が取り付けてある。このガイドレール４７は、両側の側枠４０に取り付けた対向する支持棒４５の間に架設した網板４８や、他の対向する支持棒４５の間に架設した連結棒４９に固定することによって、筒かご体４３の内側に取り付けるようにしてある。ガイドレール４７と筒かご体４３の内周との間に寝具１を差し込むことによって、寝具１を回転フレーム２の内周に沿わせた状態に保持してセットすることができるものである。
【００２１】
支持台５３は図１、図２に示すように両側に側支持枠５４を設けて上向き開口のコ字形に形成されるものであり、支持台５３は洗浄槽３内に収められるようになっている。この支持台５３の両側の側支持枠５４の上部間に支持軸４を水平に架け渡して固定して取り付けてある。支持軸４は円筒パイプ状に形成されるものであり、この支持軸４の外周に回転フレーム２の左右一対の軸リング４４を回転自在に取り付けることによって、回転フレーム２を洗浄槽３内に配置してある。そして左右一対の軸リング４４のうち一方には従動プーリ５５が固定してあり、支持軸４の下方において支持台５３に取り付けたモータ５６の原動プーリ５７とこの従動プーリ５５の間にベルト５８が懸架してある。従って、モータ５６を作動させて原動プーリ５７を回転することによって、ベルト５８を介して従動プーリ５５を回転させ、回転フレーム２を支持軸４を回転中心として回転駆動することができるものである。
【００２２】
上記の円筒パイプ状に形成される支持軸４内は、支持軸４の全長に亘る仕切り板６０によって、図５に示すように上下に仕切ってあり、支持軸４内の仕切り板６０の下側は洗浄水供給路５、上側は温風供給路６として形成してある。
【００２３】
そして洗浄水供給路５の部分において支持軸４の下部に、軸方向に沿った複数個所に散水口６１が形成してあり、また図６に示すように、支持軸４の一端部において洗浄水供給路５の部分に洗浄水供給管６２が接続してある。洗浄水供給管６２は電磁弁６３を介して水道管６４と接続してあり、またこの洗浄水供給管６２には一対の分岐管６５，６６が接続してあって、各分岐管６５，６６はそれぞれ、ポンプ６７，６８を介して洗剤タンク６９と殺菌剤タンク７０に接続してある。これらの、洗浄水供給路５、散水口６１、洗浄水供給管６２、電磁弁６３、水道管６４、分岐管６５，６６、ポンプ６７，６８、洗剤タンク６９、殺菌剤タンク７０などから、本発明の洗浄手段が形成されるものである。
【００２４】
また、支持軸４の上部に図５のように温風供給路６内と連通する一対の温風供給管７３が、図３に示すように上方へ立設してあり、この一対の温風供給管７３の上端間に架け渡して内側温風吹出しノズル７４が取り付けてある。内側温風吹出しノズル７４は回転フレーム２の内側において、回転フレーム２に軸方向の略全長に沿って配置されるものである。この内側温風吹出しノズル７４内は温風供給管７３内と連通させてあり、内側温風吹出しノズル７４の上端に沿ってノズル孔７５が図５のように開口してある。器械ケーシング３５内には電気温風機７６が設置してあり、電気温風機７６から温風配管７７が導出してある。そしてこの温風配管７７から分岐した分岐温風配管７８の先端が、支持軸４の上記の洗浄水供給管６２と接続した側と反対側の端部において、支持軸４内の温風供給路６に接続してある。
【００２５】
また回転フレーム２の外側において、図１、図２に示すように、回転フレーム２の軸方向の略全長に沿って外側温風吹出しノズル７９が配置してある。そして電気温風機７６から導出される上記の温風配管７７は図２のように回転フレーム２の側方に沿って立ち上げてあり、温風配管７７の先端が外側温風出しノズル７９の一端に接続してある。この外側温風吹出しノズル７９内は温風配管７７内と連通させてあり、外側温風吹出しノズル７９の下端に沿ってノズル孔（図示省略）が開口してある。上記の電気温風機７６、温風配管７７、分岐温風配管７８、温風供給路６、温風供給管７３、内側温風吹出しノズル７４、外側温風吹出しノズル７９等から本発明の乾燥手段が形成されるものである。
【００２６】
器械ケーシング３６内には水蒸気発生器８５が設置してある。水蒸気発生器８５に接続される水蒸気供給管８６は洗浄槽３と器械ケーシング３６の間の壁（図示省略）を通して洗浄槽３内に導入してあり、水蒸気供給管８６の先端の水蒸気噴出ノズル７を図１、図３のように回転フレーム２の側方に対向させて配置してある。回転フレーム２の側面は支持棒４５を除いて全面が開口しているものであり、水蒸気噴出ノズル７は回転フレーム２の側面開口に対向して配置されるものである。そして水蒸気発生器８５で発生した水蒸気は水蒸供給パイプ８６を通して水蒸気噴出ノズル７から高風速で噴出され、側面の開口から回転フレーム２内に送り込まれるようになっているものである。この水蒸気発生器８５、水蒸気供給管８６、水蒸気噴出ノズル７等から本発明の水蒸気供給手段が形成されるものである。
【００２７】
また、洗浄槽３には図７（ａ）のように排気ダクト９が接続してあり、排気ダクト９を通して洗浄槽３内の空気を外部に排出することができるようにしてある。排気ダクト９内には排気ファン１０が設けてあり、さらに、排気ファン１０より洗浄槽３寄りの位置において排気ダクト９内に開閉シャッター８１が設けてある。排気ファン１０は洗浄槽３の外面に設けた受け具１２５に防振ゴム１２６によって支持するようにしてある。さらに洗浄槽３には図７（ｂ）のように吸気ダクト８２が接続してあり、洗浄槽３内の空気を排気ダクト９で排出する際に、洗浄装置を設置した室内の外気が吸気ダクト８２から洗浄槽３内に吸気されるようにしてある。この吸気ダクト８２には、洗浄槽３内の空気が排気ダクト９で排出される際に開き、それ以外は閉じる、吸気弁８３が設けてある。これらの排気ダクト９や吸気ダクト８２の先端は装置の外殻ケーシング８４を通して装置外面に露出させてある。
【００２８】
次に、上記のよう形成される本発明の洗浄装置を用いて、マットレスなどの寝具１を洗浄する動作について説明する。まず、洗浄槽３の扉３８を押し上げて図４のように開口部３７を開口させ、この開口部３７に回転フレーム２の出入口４６を合致させた状態で、開閉扉５１をスライドさせて出入口４６を開き、出入口４６から回転フレーム２内に寝具１をセットする。このとき、回転フレーム２の筒かご体４３の内周とガイドレール４７との間に寝具１を差し込むことによって、寝具１を回転フレーム２の内周に沿わせた状態に固定してセットすることができるものである。寝具１は、例えば、２枚を回転フレーム２内にセットすることができるようにしてある。この後、開閉扉５１をスライドさせて回転フレーム２の出入口４６を閉じ、扉３８を引き下げて洗浄槽３の開口部３７を閉じる。
【００２９】
本発明の洗浄装置は制御機器で自動制御されるようになっており、制御機器を作動させると、回転フレーム２が回転駆動され、洗浄とすすぎからなる洗浄工程、脱水工程、蒸気消毒工程、乾燥工程が連続して自動的に行なわれるようになっている。例えば、洗浄を２分、すすぎを６分、脱水を２５分行なって洗浄工程がおこなわれ、続いて蒸気消毒工程が１０〜２０分、乾燥工程が４０分、行なわれるようにしてある。また回転フレーム２の回転速度は、洗浄の際には９０ｒｐｍ、すすぎの際にはやや回転速度を上げて１８０ｒｐｍ、脱水の際にはさらに高速回転で２４０ｒｐｍ、蒸気消毒も同様に高速回転で２４０ｒｐｍ、乾燥の際には速度を下げて１０２ｒｐｍに設定されるようにしてある。勿論、各工程の時間や、回転フレーム２の回転速度はこれらに限定されるものではない。
【００３０】
ここで、洗浄の際には、電磁弁６３が開いて、水道管６４から水道水が洗浄水供給管６２に供給されるが、このときさらにポンプ６７，６８が作動して洗剤タンク６９から洗剤が、殺菌剤タンク７０から殺菌剤が洗浄水供給管６２に供給され、水に洗剤と殺菌剤のうち少なくとも一方が混合された状態で支持軸４の洗浄水供給路５内に供給される。そしてこの洗剤入りの洗浄水は回転フレーム２内において支持軸４の散水口６１から下方へ散水されるものであり、回転フレーム２の回転に伴って、回転フレーム２の内周にセットされた寝具１の全面に均一に洗剤入りの洗浄水を供給することができる。また、回転フレーム２によって寝具１は回転されているので、寝具１の内周側に供給された洗剤入りの洗浄水は、遠心力によって、寝具１の内面側から内部に浸透して外面側に抜けることになり、洗浄水を寝具１の内部に効率高く浸透させることができ、寝具１の洗浄を効率良く行なうことができるものである。
【００３１】
次に、すすぎの際には、ポンプ６７，６８の作動が停止し、洗剤と殺菌剤が混合されていないすすぎ用の洗浄水が洗浄水供給管６２に供給され、このすすぎ用の洗浄水が散水口６１から散水される。このときも、回転フレーム２の回転に伴って、回転フレーム２の内周にセットされた寝具１の全面に均一にすすぎ用の洗浄水を供給することができるものであり、また、回転フレーム２の回転による遠心力によって、すすぎ用の洗浄水は寝具１の内面側から内部を浸透して外面側に抜けるものであり、すすぎ用洗浄水を寝具１の内部に効率高く浸透させることができ、寝具１のすすぎ洗いを効率良く行なうことができるものである。
【００３２】
すすぎ洗いが終わると、電磁弁６３が閉じ、洗浄水の供給が停止される。そして回転速度を上げて回転フレーム２を回転させることによって、遠心力で寝具１内の洗浄水を脱水する遠心脱水が行なわれる、脱水の際には、排気ダクト９の開閉シャッター８１が開くと共に換気ファン１０が作動し、洗浄槽３内の湿気を排気ダクト９を通して排出することによって、脱水が効率良くおこなわれるようにしてある。このように洗浄槽３内の湿気を排気ダクト９から排出する際には、吸気ダクト８２の吸気弁８３は開いている。脱水が終了すると、排気ダクト９の開閉シャッター８１が閉じると共に換気ファン１０は停止する。
【００３３】
次に、蒸気消毒の工程では、水蒸気発生器８５が作動し、水蒸気発生器８５で発生した水蒸気が水蒸気噴出ノズル７から高風速で噴出され、回転フレーム２の側面の開口から、回転フレーム２にセットした寝具１の内側において回転フレーム２内に水蒸気が送り込まれるものであり、水蒸気によって寝具１の消毒を行なうことができるものである。水蒸気の温度は８０〜１００℃の範囲が好ましく、また蒸気消毒の時間は１０〜２０分の範囲が好ましい。
【００３４】
ここで、この蒸気消毒は、回転フレーム２を回転駆動しながら行なわれるので、回転によって寝具１に作用する遠心力や、寝具１の内周側と外周側の周速度の差によって生じる内周側と外周側との圧力差（内周側の圧力＞外周側の圧力）で、回転フレーム２内において寝具１の内周側に供給された水蒸気は、内周側から寝具１の内部へ浸透すると共に内周側から外周側へと寝具１内を通過し易いものであり、寝具１の内部まで効率良く均一に蒸気消毒することができるものである。
【００３５】
また、寝具１に水蒸気を作用させて蒸気消毒を行なう場合、寝具１の表面に水の膜などのバリア８７が形成され易く、特に寝具１が発泡体などの断熱材で形成されるマットレスである場合に、このようなバリア８７が形成され易く、寝具１の表面にバリア８７が形成されると、水蒸気はバリア８７で遮断されて寝具１内に浸透し難くなる。しかし本発明では、蒸気消毒は回転フレーム２を回転駆動しながら行なわれるので、寝具１の表面に図８（ａ）に示すように水の膜などバリア８７が形成されても、回転による遠心力でこのバリア８７を矢印のように寝具１内に強制的に通過させて飛ばすことができるものであり、寝具１の表面のバリア８７を除去して、寝具１内への水蒸気の浸透が阻害されることを防ぐことができるものである。
【００３６】
また、寝具１の表面に便などの固形物８８が図８（ｂ）のように付着していると、この付着した固形物８８がバリアとなって、水蒸気が寝具１内に浸透し難くなる。しかし本発明では、蒸気消毒の工程に先立って洗浄工程で寝具１の洗浄を行なっているために、便などの固形物８８は洗浄によって除去されている。従って、水蒸気で寝具１を消毒する際には、このような固形物８８のバリアは寝具１の表面から除去されて存在しないものであり、寝具１内への水蒸気の浸透が阻害されることを防ぐことができるものである。
【００３７】
しかも、洗浄工程の後の上記の脱水工程で、寝具１内から水分が除去され、寝具１内は通気が良好な状態になっているので、水蒸気を寝具１内に容易に浸透させて通過させることができるものであり、蒸気消毒を効率良く行なうことができるものである。
【００３８】
上記の蒸気消毒の工程が終わると、水蒸気発生器８５の作動が停止すると共に、電気温風機７６が作動し、電気温風機７６のヒータで加熱された温風がファンで温風配管７７に送り出される。この温風は温風配管７７から分岐温風配管７８、支持軸４内の温風供給路６、温風供給管７３を通して回転フレーム２の内側に配置された内側温風吹出しノズル７４に供給され、回転フレーム２の内周にセットされた寝具１の内側に近接して対向する内側温風吹出しノズル７４から温風が吹き当てられる。また温風は温風配管７７から回転フレーム２の外側に配置された外側温風吹出しノズル７９に供給され、回転フレーム２の内周にセットされた寝具１の外側に近接して対向する外側温風吹出しノズル７９から温風が吹き当てられる。乾燥工程では、このように寝具１の両面から温風が吹き当てられるものであり、また回転フレーム２の回転に伴って寝具１の全面に均一に温風が吹き当てられるので、寝具１の乾燥を効率良く均一に行なうことができるものである。
【００３９】
またこの乾燥工程の際には、排気ダクト９の開閉シャッター８１が開くと共に換気ファン１０が作動し、洗浄槽３内の湿気を排気ダクト９を通して排出することによって、乾燥が効率良くおこなわれるようにしてある。
【００４０】
上記のようにして、寝具１の洗浄、脱水、蒸気消毒、乾燥までの工程を連続して自動運転することができるものである。
【００４１】
上記の実施の形態では、水蒸気発生器８５で発生した水蒸気を水蒸気噴出ノズル７から噴出し、回転フレーム２内に側面の開口から送り込んで寝具１を水蒸気で消毒するようにしたが、一般に病院等の施設ではボイラ装置を有しており、館内に水蒸気を供給する配管が設備されているので、水蒸気噴出ノズル７を設けた水蒸気供給管８６にこの水蒸気配管を接続して、水蒸気配管から水蒸気噴出ノズル７に水蒸気を供給するようにしてもよい。従ってこの場合には、水蒸気発生器８５を装置内に設備する必要がなくなり、装置コストを低減することができるものである。
【００４２】
また図９の実施の形態では、回転フレーム２を支持する支持軸４を利用して水蒸気を回転フレーム２内に送り込むことができるようにしてある。すなわち、円筒パイプ状に形成される支持軸４内は、既述のように支持軸４の全長に亘る仕切り板６０によって上下に仕切ってあり、支持軸４内の仕切り板６０の下側は、洗浄工程の際に、洗浄水が供給される洗浄水供給路５として形成してあり、また洗浄水供給路５に洗浄水を散水する散水口６１が形成してあるが、蒸気消毒の工程の際には、洗浄水供給路５が水蒸気が供給される水蒸気供給路８となり、また散水口６１が水蒸気が噴出される水蒸気噴出口１１となるようにしてある。つまり、洗浄水供給路５と水蒸気供給路８とが兼用され、散水口６１と水蒸気噴出口１１とが兼用されるようになっている。
【００４３】
そして図９（ａ）の実施の形態では、既述の図６のように、支持軸４の一端部において洗浄水供給路５（水蒸気供給路８）の部分に洗浄水供給管６２が接続してあるが、支持軸４と殺菌タンク７０の分岐管６６との間の位置において洗浄水供給管６２に三方切替弁８９を設け、この切替弁８９に水蒸気供給管８６が接続してある。この切替弁８９は、洗浄工程の際に、洗浄水供給管６２から洗浄水を支持軸４の洗浄水供給路５に供給する流れと、蒸気消毒工程の際に、水蒸気供給管８６から水蒸気を支持軸４の水蒸気供給路８に供給する流れとに切り替えるものである。従ってこのものでは、水蒸気供給管８６、水蒸気供給路８、水蒸気噴出口１１等から本発明の水蒸気供給手段が形成されるものである。
【００４４】
このものにあって、洗浄工程の際には、洗浄水供給管６２から洗浄水が支持軸４の洗浄水供給路５に供給され、洗浄水は散水口６１から散水されるものであり、回転フレーム２にセットされた寝具１の洗浄を行なうことができる。また蒸気消毒工程の際には、水蒸気供給管８６から水蒸気が支持軸４の水蒸気供給路８に供給され、水蒸気は水蒸気噴出口１１から回転フレーム２内に噴出されるものであり、回転フレーム２にセットされた寝具１の蒸気消毒を行なうことができるものである。
【００４５】
図９（ａ）の実施の形態では、洗浄水供給管６２を介して水蒸気供給管８６を支持軸４の水蒸気供給路８に接続するようにしたが、図９（ｂ）の実施の形態では、水蒸気供給管８６を支持軸４の水蒸気供給路８に直接接続するようにしてある。そしてこのものでは、洗浄工程の際には、洗浄水供給管６２から洗浄水が支持軸４の洗浄水供給路５に供給され、また蒸気消毒工程の際には、水蒸気供給管８６から水蒸気が支持軸４の水蒸気供給路８に供給されるものである。この実施の形態の場合、洗浄工程の際に洗浄水が水蒸気供給管８６に流入しないように、また蒸気消毒工程の際に水蒸気が洗浄水供給管６２に流入しないように、洗浄水供給管６２や水蒸気供給管８６の支持軸４への接続部に逆止弁９０，９１を設けるのが望ましい。
【図面の簡単な説明】
【００４６】
【図１】本発明の実施の形態の一例の一部を示す斜視図である。
【図２】同上の一部を示す斜視図である。
【図３】同上の一部を示す斜視図である。
【図４】同上の概略正面図である。
【図５】同上の回転フレームの部分の断面図である。
【図６】同上の一部を示す概略図である。
【図７】同上の一部を示すものであり、（ａ）（ｂ）はそれぞれ概略図である。
【図８】同上の一部を示すものであり、（ａ）（ｂ）はそれぞれ概略図である。
【図９】本発明の他の実施の形態の一例を示すものであり、（ａ）（ｂ）はそれぞれ概略図である。
【図１０】従来例を示す斜視図である。
【符号の説明】
【００４７】
１  寝具
２  回転フレーム
３  洗浄槽
４  支持軸
７  水蒸気噴出ノズル
８  水蒸気供給路
１１  水蒸気噴出口
【図１】
2008289820.tif 000003
【図２】
2008289820.tif 000004
【図３】
2008289820.tif 000005
【図４】
2008289820.tif 000006
【図５】
2008289820.tif 000007
【図６】
2008289820.tif 000008
【図７】
2008289820.tif 000009
【図８】
2008289820.tif 000010
【図９】
2008289820.tif 000011
【図１０】
2008289820.tif 000012